(57)【要約】      （修正有）【課題】音質のばらつきが小さく、音質が優れた音量調整回路、及びエレクトリック・ギターを提供する。【解決手段】第１の端子と第２の端子と第３の端子とを備えた主可変抵抗器１０１と、第１の半固定抵抗器１０２と、第２の半固定抵抗器とを含み、主可変抵抗器の第１の端子と第２の端子間に第１の半固定抵抗器が接続され、第２の端子と第３の端子間に第２の半固定抵抗器が接続され、主可変抵抗器の第１の端子と第３の端子間にピックアップの出力である音声信号が入力され、第２の端子と第３の端子間から音声信号が出力される。【選択図】図１
0003231310.tif 000002
【実用新案登録請求の範囲】
【請求項１】
可変抵抗器と、
第1の微調整用可変抵抗器と、
第2の微調整用可変抵抗器とを含み、
前記可変抵抗器は、第1の端子と第2の端子と第3の端子とを備え、
前記可変抵抗器の前記第1の端子と前記第2の端子間に前記第1の微調整用可変抵抗器が接続され、
前記可変抵抗器の前記第2の端子と前記第3の端子間に前記第2の微調整用可変抵抗器が接続され、
前記可変抵抗器の前記第1の端子と前記第3の端子間にピックアップの出力である音声信号が入力され、
前記可変抵抗器の前記第2の端子と前記第3の端子間から音声信号が出力される、
弦楽器用音量調整回路。
【請求項２】
前記可変抵抗器の抵抗値が略250キロオームであり、前記第1の微調整用可変抵抗器と前記第2の微調整用可変抵抗器の抵抗値が略500キロオームである、
請求項１に記載の弦楽器用音量調整回路。
【請求項３】
前記可変抵抗器の抵抗値が略500キロオームであり、前記第1の微調整用可変抵抗器と前記第2の微調整用可変抵抗器の抵抗値が略１メガオームである、
請求項１に記載の弦楽器用音量調整回路。
【請求項４】
請求項1、請求項２、または、請求項３に記載の音量調整回路を含む、エレクトリック・ギター。
【考案の詳細な説明】
【技術分野】
【０００１】
本願は、音質のばらつきが小さく、音質が優れたエレクトリック・ギターに関する。
【背景技術】
【０００２】
エレクトリック・ギターは、金属製の弦の振動を電磁誘導によりピックアップで電気信号に変え、アンプ（増幅器）に送ることにより音を発生する。ピックアップの信号は、アンプに送られる前に、音量および音質調整のために可変抵抗器（ポテンションメーター、または、ポットとも呼ばれる）を経由する。この可変抵抗器の抵抗値やカーブは、ギターの音質に影響を与え、楽器の個性を構成する。
【０００３】
しかし、市販の可変抵抗器は個体による抵抗値のばらつきが大きい。定格値と比較してプラスマイナス10パーセント程度の誤差があることも珍しくない（非特許文献1参照）。これにより、演奏者が意図した音質が得られないという課題があった。特に、経年劣化に対応するために、エレクトリック・ギターに元々付いていた可変抵抗器を交換した場合に、音質が変わってしまうという課題があった（可変抵抗器は頻繁に操作される部品であり、交換の頻度も高いため、この課題は重大であった）。単に、半固定抵抗（トリマ）を可変抵抗器に並列または直列に接続して調整するだけでは、抵抗値のカーブが変わってしまい演奏者に違和感を与えるという課題があった。本願考案はこれらの課題を解決するものである。
【先行技術文献】
【非特許文献】
【０００４】
【非特許文献１】「ポット考察その2」（https://www.ikebe-gakki-pb.com/wsr/?p=9648）
【考案の概要】
【考案が解決しようとする課題】
【０００５】
音質のばらつきが小さく、音質が優れたエレクトリック・ギターを提供する。
【課題を解決するための手段】
【０００６】
本願考案は、主可変抵抗器と、第1の微調整用可変抵抗器と、第2の微調整用可変抵抗器とを含み、前記主可変抵抗器は、第1の端子と第2の端子と第3の端子とを備え、前記主可変抵抗器の前記第1の端子と前記第2の端子間に前記第1の微調整用可変抵抗器が接続され、前記主可変抵抗器の前記第2の端子と前記第3の端子間に前記第2の微調整用可変抵抗器が接続され、前記主可変抵抗器の前記第1の端子と前記第3の端子間にピックアップの出力である音声信号が入力され、前記主可変抵抗器の前記第2の端子と前記第3の端子間から音声信号が出力される、エレクトリック・ギター用音量調整回路を提供することで上記課題を解決する。
【０００７】
また、本願考案は、前記主可変抵抗器の抵抗値が略250キロオームであり、前記第1の微調整用可変抵抗器と前記第2の微調整用可変抵抗器の抵抗値が略500キロオームである、段落０００６に記載のエレクトリック・ギター用音量調整回路を提供することで上記課題を解決する。
【０００８】
また、本願考案は、前記主可変抵抗器の抵抗値が略500キロオームであり、前記第1の微調整用可変抵抗器と前記第2の微調整用可変抵抗器の抵抗値が略１メガオームである、段落０００７に記載のエレクトリック・ギター用音量調整回路を提供することで上記課題を解決する。
【０００９】
また、本願考案は、段落０００６、段落０００７、または、段落０００８に記載の音量調整用回路を含む、エレクトリック・ギターを提供することで上記課題を解決する。
【考案の効果】
【００１０】
音質のばらつきが小さく、音質が優れたエレクトリック・ギターが提供される。
【図面の簡単な説明】
【００１１】
【図１】本願考案に係るエレクトリック・ギターの音量調整回路を表す図である。
【考案を実施するための形態】
【００１２】
図1に、本願考案に係るエレクトリック・ギターの音量調整回路を示す。図1−ａ）は従来の構成であり、ピックアップからの信号を可変抵抗器（101）に通し、出力とする。シングルピックアップの場合には250キロオーム、ハムバッキングピックアップ（商用電源の電磁ノイズの影響を軽減するためにコイルを対にして用いる構成）では、500キロオームの可変抵抗器が使用されることが多い。一般的なエレクトリック・ギターでは、このように単純なパッシブ回路が使用されているため、可変抵抗器の抵抗値やカーブ特性がギターの音質や弾き心地に大きな影響を与えることが知られている。
【００１３】
図1−ｂ）は本願発明に係る、エレクトリック・ギターの音量調整回路の構成である。従来と同様の可変抵抗器（101）に対して、2つの半固定抵抗器（トリマー）（102、103）を付加することで、元々の可変抵抗器の抵抗値の定格値との誤差を軽減すると共に、カーブの微調整を可能にする。一般に抵抗器の誤差軽減のために半固定抵抗器を並列または直列に付加する手法は周知であるが、単純に半固定抵抗器並列または直列に付加するだけでは、全体多岐な抵抗値の誤差の軽減は図れても、カーブの微調整が不可能であり、演奏者に違和感を与える結果になるため、本願考案の構成に優位性がある。
【００１４】
2つの半固定抵抗器の抵抗値は、可変抵抗器の抵抗値が250キロオームである場合には、500キロオーム、可変抵抗器の抵抗値が500キロオームである場合には、1メガオームであることが好ましいことが考案者の実験により明らかになっている。なお、半固定抵抗器（トリマー）の代わりに一般的な可変抵抗器、その他の抵抗値を微調整可能な部品を使用してもよい。
【００１５】
なお、本願明細書において、エレクトリック・ギターには、エレクトリック・ベース・ギター等、電磁誘導ピックアップによって弦の振動を電気信号に変換する電気弦楽器を包含するものとする。
【図１】
0003231310.tif 000003